(57)【特許請求の範囲】
【請求項１】
水供給源から貯水部へ水を移送する水供給経路を備えた飲料供給装置において、
前記水供給経路は、
上流端が前記水供給源と連結され、下流端が開口した第一配管と、
下流端が前記貯水部と連結され、上流端が開口した第二配管と、
前記第一配管の下流端および前記第二配管の上流端を連結する配管部材と、
を備え、
前記第一配管の下流端および前記第二配管の上流端は、互いに同一方向に向けて配設し、
前記配管部材は、互いに同一方向を向く二つの開口端を有し、それぞれの開口端を介して前記第一配管の下流端および前記第二配管の上流端の間に着脱可能に連結されるものであり、
前記第一配管の下流端と前記第二配管の上流端との間に、水をろ過する水フィルタ装置を前記配管部材に代えて着脱可能であり、
前記配管部材は、
前記第一配管の下流端および前記第二配管の上流端に接続する開口端を形成した筒状を成す一対のジョイント部と、
前記一対のジョイント部の基端部を互いに連結する連結部と、を有し、
一方のジョイント部から前記連結部を介して他方のジョイント部に至る流路を構成するものであり、
前記連結部は、
両端が開口した並行する二つの直線状管と、
開口した端部と閉塞した端部とを有し、かつそれぞれの直線状管の一方の端部を接続する直線状の連結管と、を有し、
前記連結管の開口した端部に蓋部を接着して閉塞することで一方の直線状管から前記連結管を介して他方の直線状管に至る流路を形成したことを特徴とする飲料供給装置。
【請求項２】
水供給源から貯水部へ水を移送する水供給経路を備えた飲料供給装置において、
前記水供給経路は、
上流端が前記水供給源と連結され、下流端が開口した第一配管と、
下流端が前記貯水部と連結され、上流端が開口した第二配管と、
前記第一配管の下流端および前記第二配管の上流端を連結する配管部材と、
を備え、
前記第一配管の下流端および前記第二配管の上流端は、互いに同一方向に向けて配設し、
前記配管部材は、互いに同一方向を向く二つの開口端を有し、それぞれの開口端を介して前記第一配管の下流端および前記第二配管の上流端の間に着脱可能に連結されるものであり、
前記第一配管の下流端と前記第二配管の上流端との間に、水をろ過する水フィルタ装置を前記配管部材に代えて着脱可能であり、
前記配管部材は、
前記第一配管の下流端および前記第二配管の上流端に接続する開口端を形成した筒状を成す一対のジョイント部と、
前記一対のジョイント部の基端部を互いに連結する連結部と、を有し、
一方のジョイント部から前記連結部を介して他方のジョイント部に至る流路を構成するものであり、
前記連結部は、
両端が開口した並行する二つの直線状管と、
開口した端部と閉塞した端部とを有し、かつそれぞれの直線状管の一方の端部を接続する直線状の連結管と、を有し、
前記連結管の開口した端部に袋ナットを締結して閉塞することで一方の直線状管から前記連結管を介して他方の直線状管に至る流路を形成したことを特徴とする飲料供給装置。
【発明の詳細な説明】
【技術分野】
【０００１】
本発明は、飲料供給装置に関するものである。
【背景技術】
【０００２】
従来、飲料等をカップに投入された状態で提供する飲料供給装置として、様々な仕様の飲料供給装置が製造されており、例えば、カセットタンク内の飲料水供給源から貯水部である水リザーバに至るまでの水供給経路の間に飲料水をろ過する水フィルタ装置を設置した飲料供給装置が製造されている（特許文献１参照）。
【先行技術文献】
【特許文献】
【０００３】
【特許文献１】特開２００６−２２８０８５号公報
【発明の概要】
【発明が解決しようとする課題】
【０００４】
上述のような水フィルタ装置を設置した飲料供給装置と、水フィルタ装置を設置しない飲料供給装置とでは、水供給経路の配管構造が異なっている。そのため、各仕様に合わせて異なる二種類の配管部品を用意し、別個に飲料供給装置の製造を行っている。
【０００５】
しかしながら、水供給経路の配管部品が異なると、取り扱う部品が増加し、製造コストが上がるという問題があった。
【０００６】
本発明は、上記実情に鑑みて、仕様の異なる飲料供給装置との間で水供給経路の部品をできる限り共通化し、製造コストを低減することができる飲料供給装置を提供することを目的とする。
【課題を解決するための手段】
【０００７】
上記目的を達成するために、本発明に係る飲料供給装置は、水供給源から貯水部へ水を移送する水供給経路を備えた飲料供給装置において、前記水供給経路は、上流端が前記水供給源と連結され、下流端が開口した第一配管と、下流端が前記貯水部と連結され、上流端が開口した第二配管と、前記第一配管の下流端および前記第二配管の上流端を連結する配管部材と、を備え、前記第一配管の下流端および前記第二配管の上流端は、互いに同一方向に向けて配設し、前記配管部材は、互いに同一方向を向く二つの開口端を有し、それぞれの開口端を介して前記第一配管の下流端および前記第二配管の上流端の間に着脱可能に連結されるものであり、前記第一配管の下流端と前記第二配管の上流端との間に、水をろ過する水フィルタ装置を前記配管部材に代えて着脱可能であることを特徴とする。
【０００９】
また、本発明は、上述の飲料供給装置において、前記配管部材は、前記第一配管の下流端および前記第二配管の上流端に接続する開口端を形成した筒状を成す一対のジョイント部と、前記一対のジョイント部の基端部を互いに連結する連結部と、を有し、一方のジョイント部から前記連結部を介して他方のジョイント部に至る流路を構成するものであることを特徴とする。
【００１１】
また、本発明は、上述の飲料供給装置において、前記連結部は、両端が開口した並行する二つの直線状管と、開口した端部と閉塞した端部とを有し、かつそれぞれの直線状管の一方の端部を接続する直線状の連結管と、を有し、前記連結管の開口した端部に蓋部を接着して閉塞することで一方の直線状管から前記連結管を介して他方の直線状管に至る流路を形成したことを特徴とする。
【００１２】
また、本発明は、上述の飲料供給装置において、前記連結部は、両端が開口した並行する二つの直線状管と、開口した端部と閉塞した端部とを有し、かつそれぞれの直線状管の一方の端部を接続する直線状の連結管と、を有し、前記連結管の開口した端部に袋ナットを締結して閉塞することで一方の直線状管から前記連結管を介して他方の直線状管に至る流路を形成したことを特徴とする。
【発明の効果】
【００１３】
本発明の飲料供給装置によれば、水供給経路が第一配管、配管部材および第二配管からなる構成であるため、配管部材の配設位置に他の部品を配設することにより、第一配管および第二配管を共通化した状態で仕様の異なる飲料供給装置を製造することができる。従って、仕様の異なる飲料供給装置との間で部品の共通化を図り、製造コストを低減することができる。
【図面の簡単な説明】
【００１４】
【図１】図１は、本発明の実施の形態である飲料供給装置の回路構成を示す概念図である。
【図２】図２は、図１に示した飲料供給装置における配管構造を示す斜視図である。
【図３】図３は、本発明の実施の形態１における配管部材の正面図である。
【図４】図４は、本発明の実施の形態１における配管部材の断面図である。
【図５】図５は、本発明の実施の形態２における配管部材の正面図である。
【図６】図６は、本発明の実施の形態２における配管部材の製造工程を示す断面図である。
【図７】図７は、本発明の実施の形態３における配管部材の正面図である。
【図８】図８は、本発明の実施の形態３における配管部材の製造工程を示す断面図である。
【発明を実施するための形態】
【００１５】
以下に添付図面を参照して、本発明に係る飲料供給装置の好適な実施の形態を詳細に説明する。
【００１６】
（実施の形態１）
まず、本発明の飲料供給装置の一例であるカップ式飲料自動販売機１について説明する。図１に示すように、カップ式飲料自動販売機１は、所定の搬送機構（図示せず）によって搬送されてベンドステージＳに載置した飲料容器であるカップＣに対して、コールド飲料を投入するためのコールド飲料供給部２と、ホット飲料を投入するホット飲料供給部３とを備えている。
【００１７】
コールド飲料供給部２は、水リザーバ（貯水部）２１、製氷機２２および冷却水槽２３を備えて構成してある。
【００１８】
水リザーバ２１は、水供給経路４を構成する第一水供給配管（第一配管）４１、配管部材５０および第二水供給配管（第二配管）４２を介してカセットタンク等の水供給源４０から供給された水を貯留するものである。
【００１９】
製氷機２２は、水リザーバ２１に製氷用水導入配管２１ａを介して接続してある。製氷機２２は、製氷用水導入配管２１ａを通じて水リザーバ２１から移送された水を用いて氷を製造し、当該氷を貯留する。図には明示していないが製氷機２２は、製氷部としての円筒状のパイプの内部にスクリュ形状のオーガが配設してあり、モータによって回転駆動したオーガでパイプの筒内に生じた氷を切削しつつ上方に押し上げる。パイプの上部には、固定刃が設けてあり、この固定刃によってオーガで押し上げられた氷を圧縮してチップ状の氷にする。また、パイプの上方には、製造したチップ状の氷を貯留するストッカが設けてある。そして、製氷機２２によって製造された氷は、ストッカから排出されて氷供給配管２２ａを通じてカップＣの内部に必要量が投入されることになる。
【００２０】
冷却水槽２３は、主に冷却水を生成するためのものであって、冷却用水２３ａを貯留した水槽である。冷却水槽２３には、水冷却コイル２４と、カーボネータ２５と、シロップコンテナ２６に接続されたシロップ供給配管２６ａの一部とがそれぞれ冷却用水２３ａに浸漬させた形態で配設してある。
【００２１】
水冷却コイル２４は、水ポンプ２１ｂを有した飲料用水供給配管２１ｃを介して水リザーバ２１に接続してある。水冷却コイル２４は、飲料用水供給配管２１ｃを通じて水リザーバ２１から移送された水を冷却して冷却水を生成するものである。水冷却コイル２４で生成された冷却水は、冷却水バルブ２４ａを有した冷却水供給配管２４ｂを通じてカップＣの内部に必要量が投入される。
【００２２】
カーボネータ２５は、炭酸ガスボンベ２７に炭酸ガス導入配管２７ａを介して接続してあり、かつ、冷却水供給配管２４ｂの途中に電磁弁２５ａを介して接続してある。カーボネータ２５は、炭酸ガスボンベ２７から移送された炭酸ガスと、冷却水供給配管２４ｂを介して水冷却コイル２４から移送された冷却水とを混合して炭酸水を生成するものである。カーボネータ２５で生成された炭酸水は、炭酸水バルブ２５ｂを有した炭酸水供給配管２５ｃを通じてカップＣの内部に必要量が投入される。
【００２３】
シロップコンテナ２６は、各種のシロップ原料を貯留するものである。シロップコンテナ２６は、炭酸ガスボンベ２７に炭酸ガス導入配管２７ａを介して接続してある。そして、シロップコンテナ２６に貯留されたシロップ原料は、炭酸ガスの圧力によってシロップバルブ２６ｂを有したシロップ供給配管２６ａを通じてカップＣの内部に必要量が投入される。また、シロップ供給配管２６ａの途中には、シロップ売切検出器２６ｃが設けてある。なお、本実施の形態では、炭酸ガスの圧力によってシロップコンテナ２６に貯留されたシロップ原料をカップＣに投入するプレッシャ式を説明したが、プレッシャ式以外に、炭酸ガスボンベ２７をシロップコンテナ２６に接続せず、シロップ供給配管２６ａに設けたポンプ（図示せず）によってシロップコンテナ２６に貯留されたシロップ原料をカップＣに投入するポンプ式もある。図には明示しないがポンプ式の場合には、シロップコンテナ２６およびシロップ供給配管２６ａの一部が冷却水槽２３に貯留した冷却用水２３ａに浸漬される。
【００２４】
ホット飲料供給部３は、貯湯タンク３１、インスタント飲料調理部３２およびレギュラーコーヒー飲料調理部３３を備えて構成してある。
【００２５】
貯湯タンク３１は、飲料用水供給配管２１ｃの途中から分岐して電磁弁３１ａを有した添加湯用水導入配管３１ｂを介して水リザーバ２１に接続してある。貯湯タンク３１は、加熱源としてのヒータ（図示せず）を有しており、水リザーバ２１から移送された水を加熱して貯留するものである。
【００２６】
インスタント飲料調理部３２は、原料キャニスタ３２１と、ミキシングボール３２２とを備えて構成してある。原料キャニスタ３２１は、例えばインスタントコーヒー、ココア、紅茶、砂糖、ミルクなどの各種粉末原料を収容したものである。ミキシングボール３２２は、シュータ３２１ａを介して原料キャニスタ３２１に連設してあり、かつ、添加湯バルブ３１ｃを有した添加湯供給配管３１ｄを介して貯湯タンク３１に接続してある。ミキシングボール３２２は、シュータ３２１ａを通じて原料キャニスタ３２１から投入された各種粉末原料と、添加湯供給配管３１ｄを通じて貯湯タンク３１から移送された添加湯とを混合攪拌するものである。ミキシングボール３２２で攪拌混合されたインスタント飲料は、ミキシングボール３２２に接続されたホット飲料供給配管３２２ａを通じてカップＣの内部に必要量が投入される。
【００２７】
レギュラーコーヒー飲料調理部３３は、レギュラーコーヒー抽出部３３１と、原料キャニスタ３３２と、ミキシングボール３３３とを備えて構成してある。
【００２８】
レギュラーコーヒー抽出部３３１は、コーヒー豆キャニスタ３３１ａ、ミル３３１ｂおよびコーヒー飲料抽出器３３１ｃを有してなる。コーヒー豆キャニスタ３３１ａは、コーヒー豆を収容したものである。ミル３３１ｂは、コーヒー豆キャニスタ３３１ａの下方に配設してあり、コーヒー豆キャニスタ３３１ａから投入されたコーヒー豆を挽くものである。コーヒー飲料抽出器３３１ｃは、ミル３３１ｂの下方に配設してあり、かつ、添加湯供給配管３１ｄを介して貯湯タンク３１に接続してある。コーヒー飲料抽出器３３１ｃは、ミル３３１ｂから投入された挽き豆と、添加湯供給配管３１ｄを通じて貯湯タンク３１から移送された添加湯とからレギュラーコーヒー飲料を抽出するものである。
【００２９】
原料キャニスタ３３２は、例えば砂糖、ミルクなどの各種粉末原料を収容したものである。ミキシングボール３３３は、シュータ３３２ａを介して原料キャニスタ３３２に連設してあり、かつ、コーヒー飲料供給配管３３１ｄを介してコーヒー飲料抽出器３３１ｃに接続してあり、さらに、添加湯供給配管３１ｄを介して貯湯タンク３１に接続してある。ミキシングボール３３３は、シュータ３３２ａを通じて原料キャニスタ３３２から投入された各種粉末原料と、コーヒー飲料供給配管３３１ｄを通じてコーヒー飲料抽出器３３１ｃから移送されたレギュラーコーヒー飲料とを混合攪拌するものである。ミキシングボール３３３で攪拌混合されたレギュラーコーヒー飲料は、ミキシングボール３３３に接続されたホット飲料供給配管３３３ａを通じてカップＣの内部に必要量が投入される。
【００３０】
なお、コーヒー飲料抽出器３３１ｃにおいてレギュラーコーヒー飲料を抽出した後の挽き豆の滓は、滓バケツＢに投入される。
【００３１】
上述したカップ式飲料自動販売機１において、水供給源４０から水リザーバ２１へ水を移送する水供給経路４は、第一水供給配管４１、配管部材５０および第二水供給配管４２を備えている。
【００３２】
図１に示すように、第一水供給配管４１は、水ポンプ４０ａを介して上流端４１ｂが水供給源４０に接続してあり、下流端４１ａが開口している。第二水供給配管４２は、上流端４２ａが開口しており、給水バルブ４０ｂを介して下流端４２ｂが水リザーバ２１に接続してある。図２に示すように、第一水供給配管４１の下流端４１ａと第二水供給配管４２の上流端４２ａとは、互いに同一面上で同一方向下向きに配設してあり、かつ互いに近接して設けてある。第一水供給配管４１の下流端４１ａおよび第二水供給配管４２の上流端４２ａには、それぞれ雌螺子を形成する接続ナット４３，４４が回転可能に保持してある。第一水供給配管４１および第二水供給配管４２の延長上には取付台６０の突出板６２が配設してある。
【００３３】
取付台６０は、図２に示すように、突出板６２と、突出板６２から９０度屈曲した取付部６１とを有する板材である。突出板６２には２つの挿通孔６４，６５が形成してある。取付部６１には螺子挿通孔６３が設けてあり、図には明示していないが、カップ式飲料自動販売機１内の所定の位置に螺子で固定してある。
【００３４】
配管部材５０は、図３および図４に示すように、連結部５１を有している。連結部５１は、Ｕ字型に湾曲して形成された中空管であり、外径および内径が一様の寸法に形成されている。連結部５１の両端にはジョイント部５２ａ，５２ｂが一体に形成してある。
【００３５】
ジョイント部５２ａ，５２ｂは、太径に形成した外周に螺子溝が形成された雄螺子を構成する部分であり、取付台６０の挿通孔６４，６５より細い筒状に形成してある。ジョイント部５２ａ，５２ｂの基端部５２２ａ，５２２ｂにはフランジ部５３ａ，５３ｂが一体に形成してある。フランジ部５３ａ，５３ｂは取付台６０の挿通孔６４，６５より太く形成してある。ジョイント部５２ａ，５２ｂの開口端５２１ａ，５２１ｂは、互いに同一面上で同一方向を向いている。開口端５２１ａ，５２１ｂの軸心間の距離は、第一水供給配管４１の下流端４１ａおよび第二水供給配管４２の上流端４２ａの軸心間の距離と同じく形成してある。
【００３６】
この配管部材５０は、ジョイント部５２ａ，５２ｂを取付台６０の挿通孔６４，６５に挿通し、ジョイント部５２ａ，５２ｂの雄螺子に通した固定ナット６６，６７で締結する。フランジ部５３ａ，５３ｂおよび固定ナット６６，６７で突出板６２を挟持することで配管部材５０を取付台６０に固定してある。ジョイント部５２ａには接続ナット４３が締結されており、配管部材５０の開口端５２１ａと第一水供給配管４１の下流端４１ａとが連結されている。ジョイント部５２ｂには接続ナット４４が締結されており、配管部材５０の開口端５２１ｂと第二水供給配管４２の上流端４２ａとが連結されている。
【００３７】
上述の配管部材５０はいわゆる中空射出成形法により製造する。すなわち、配管部材５０の外形が形成された金型に合成樹脂材を注入し、その後、内側の合成樹脂材が凝固していない状態で、図４に示すようにＵ字の一端からガスを注入して他端から排出する。このような成形法を適用することで、内部にＵ字型の空洞５４が形成された合成樹脂製の配管部材５０を一体成形することができる。
【００３８】
上述したカップ式飲料自動販売機１において、水ポンプ４０ａを駆動し、給水バルブ４０ｂを開放すると、水が水供給源４０から水供給経路４を構成する第一水供給配管４１、配管部材５０および第二水供給配管４２を経て水リザーバ２１へと供給される。
【００３９】
上述したカップ式飲料自動販売機１では、水供給経路４が、第一水供給配管４１、配管部材５０および第二水供給配管４２からなる。そのため、配管部材５０の配設位置に水フィルタ装置５００等の他の部品を配設することにより、第一水供給配管４１および第二水供給配管４２を共通化した状態で仕様の異なるカップ式飲料自動販売機を製造することができる。従って、仕様の異なる飲料供給装置との間で部品を共通化し、製造コストを低減することができる。
【００４０】
また、上述した配管部材５０は、一つの金型を作成することで合成樹脂製の配管部材５０を量産することができる。そのため、配管部材５０を安価に製造することができ、量産を行う飲料供給装置の使用に適している。また、配管部材５０を一体成形しているため、配管部材５０流路内の水漏れを確実に防止することができる。
【００４１】
（実施の形態２）
実施の形態２に示す飲料供給装置では、実施の形態１の配管部材５０に替えて配管部材７０を用いている。配管部材７０以外のカップ式飲料自動販売機の構成は実施の形態１と同一のものであり、ここではその説明を省略する。
【００４２】
配管部材７０は、図５および図６に示すように、連結部７１を有している。連結部７１は、並行する二つの直線状管７１１，７１２と、直線状管７１１，７１２を連結する直線状の連結管７１３とを有する中空管である。直線状管７１１，７１２は両端が開口してあり、連結管７１３は直線状管７１１，７１２の一方の端部を連結している。連結管７１３は、連結する直線状管７１１，７１２から突出した突出部７１３ａを有する。連結管７１３の突出部７１３ａ側の端部は開口してあり、他方の端部は閉塞してある。突出部７１３ａ側の端部に形成された開口孔７１４は蓋部７４で閉塞してある。蓋部７４は合成樹脂製であって、超音波溶着によって突出部７１３ａに接着してある。連結部７１の両端にはジョイント部７２ａ，７２ｂが一体に形成してある。
【００４３】
ジョイント部７２ａ，７２ｂは、外周に螺子溝が形成された雄螺子を構成する部分であり、取付台６０の挿通孔６４，６５より細い筒状に形成してある。ジョイント部７２ａ，７２ｂの連結部７１側の基端部７２２ａ，７２２ｂにはフランジ部７３ａ，７３ｂが一体に形成してある。フランジ部７３ａ，７３ｂは取付台６０の挿通孔６４，６５より太く形成してある。ジョイント部７２ａ，７２ｂの一方の開口端７２１ａ，７２１ｂは、互いに同一面上で同一方向を向いている。開口端７２１ａ，７２１ｂの軸心間の距離は、第一水供給配管４１の下流端４１ａおよび第二水供給配管４２の上流端４２ａの軸心間の距離と同じく形成してある。
【００４４】
この配管部材７０は、ジョイント部７２ａ，７２ｂを取付台６０の挿通孔６４，６５に挿通し、ジョイント部７２ａ，７２ｂの雄螺子を通した固定ナット６６，６７を締結する。フランジ部７３ａ，７３ｂおよび固定ナット６６，６７で突出板６２を挟持することで配管部材７０を取付台６０に固定してある。ジョイント部７２ａには接続ナット４３が締結されており、配管部材７０の開口端７２１ａと第一水供給配管４１の下流端４１ａとが連結されている。ジョイント部７２ｂには接続ナット４４が締結されており、配管部材７０の開口端７２１ｂと第二水供給配管４２の上流端４２ａとが連結されている。
【００４５】
配管部材７０は射出成形によって製造する。すなわち、蓋部７４を除く配管部材７０の外形が形成された金型に合成樹脂材を注入する。その後、配管部材７０の内径を形成する中子を引き抜く（図６（ａ））。その後、中子を引き抜くことで形成された突出部７１３ａの開口孔７１４に合成樹脂製の蓋部７４を超音波溶着によって接着することにより閉塞する（図６（ｂ））。このような成形法を適用することで、蓋部７４を除く配管部材７０を一体成形することができる。
【００４６】
配管部材７０を配設した実施の形態２のカップ式飲料自動販売機において、水ポンプ４０ａを駆動し、給水バルブ４０ｂを開放すると、水が水供給源４０から水供給経路を構成する第一水供給配管４１、配管部材７０および第二水供給配管４２を経て水リザーバ２１へと供給される。
【００４７】
実施の形態２におけるカップ式飲料自動販売機では、水供給経路が、第一水供給配管４１、配管部材７０および第二水供給配管４２からなる。そのため、配管部材７０の配設位置に水フィルタ装置５００等の他の部品を配設することにより、第一水供給配管４１および第二水供給配管４２を共通化した状態で仕様の異なるカップ式飲料自動販売機を製造することができる。従って、仕様の異なる飲料供給装置との間で部品を共通化し、製造コストを低減することができる。
【００４８】
また、上述した配管部材７０は、合成樹脂材による射出成形を用いて製造することができるため安価に製造することができる。また、蓋部７４を超音波溶着で接着することにより、射出成形の型抜きで形成された開口孔７１４を確実に密封することができるので、配管部材７０流路内の水漏れを確実に防止することができる。
【００４９】
（実施の形態３）
実施の形態３に示す飲料供給装置では、実施の形態１の配管部材５０に替えて配管部材８０を用いている。配管部材８０以外のカップ式飲料自動販売機の構成は実施の形態１と同一のものであり、ここではその説明を省略する。
【００５０】
配管部材８０は、図７および図８に示すように、連結部８１を有している。連結部８１は、並行する二つの直線状管８１１，８１２と、直線状管８１１，８１２を連結する直線状の連結管８１３とを有する中空管である。直線状管８１１，８１２は両端が開口してあり、連結管８１３は直線状管８１１，８１２の一方の端部を連結している。連結管８１３は、連結する直線状管８１１，８１２から突出した突出部８１３ａを有する。連結管８１３の突出部８１３ａ側の端部は開口してあり、他方の端部は閉塞してある。突出部８１３ａ側の端部に形成された開口孔８１４は蓋体８４で閉塞してある。蓋体８４は一端が閉じた合成樹脂製の螺子孔（袋ナット）からなり、突出部８１３ａの端部を被覆している。連結部８１の両端にはジョイント部８２ａ，８２ｂが一体に形成してある。
【００５１】
ジョイント部８２ａ，８２ｂは、外周に螺子溝が形成された雄螺子を構成する部分であり、取付台６０の挿通孔６４，６５より細い筒状に形成してある。ジョイント部８２ａ，８２ｂの連結部８１側の基端部８２２ａ，８２２ｂにはフランジ部８３ａ，８３ｂが一体に形成してある。フランジ部８３ａ，８３ｂは取付台６０の挿通孔６４，６５より太く形成してある。ジョイント部８２ａ，８２ｂの開口端８２１ａ，８２１ｂは、互いに同一面上で同一方向を向いている。開口端８２１ａ，８２１ｂの軸心間の距離は、第一水供給配管４１の下流端４１ａおよび第二水供給配管４２の上流端４２ａの軸心間の距離と同じく形成してある。
【００５２】
この配管部材８０は、ジョイント部８２ａ，８２ｂを取付台６０の挿通孔６４，６５に挿通し、ジョイント部８２ａ，８２ｂの雄螺子を通した固定ナット６６，６７を締結する。フランジ部８３ａ，８３ｂおよび固定ナット６６，６７で突出板６２を挟持することで配管部材８０を取付台６０に固定してある。ジョイント部８２ａには接続ナット４３が締結されており、配管部材８０の開口端８２１ａと第一水供給配管４１の下流端４１ａとが連結されている。ジョイント部８２ｂには接続ナット４４が締結されており、配管部材８０の開口端８２１ｂと第二水供給配管４２の上流端４２ａとが連結されている。
【００５３】
配管部材８０は射出成形によって製造する。すなわち、蓋体８４を除く配管部材８０の外形が形成された金型に合成樹脂を注入する。その後、配管部材８０の内径を形成する中子を引き抜く（図８（ａ））。その後、中子を引き抜くことで形成された突出部８１３ａの開口孔８１４に袋ナット構造の蓋体８４を締め込むことで、突出部８１３ａに形成された開口孔８１４を閉塞する（図８（ｂ））。このような成形法を適用することで、蓋体８４を除く配管部材８０を一体成形することができる。
【００５４】
配管部材８０を配設した実施の形態３のカップ式飲料自動販売機において、水ポンプ４０ａを駆動し、給水バルブ４０ｂを開放すると、水が水供給源４０から水供給経路を構成する第一水供給配管４１、配管部材８０および第二水供給配管４２を経て水リザーバ２１へと供給される。
【００５５】
実施の形態３におけるカップ式飲料自動販売機では、水供給経路が、第一水供給配管４１、配管部材８０および第二水供給配管４２からなる。そのため、配管部材８０の配設位置に水フィルタ装置５００等の他の部品を配設することにより、第一水供給配管４１および第二水供給配管４２を共通化した状態で仕様の異なるカップ式飲料自動販売機を製造することができる。従って、仕様の異なる飲料供給装置との間で部品を共通化し、製造コストを低減することができる。
【００５６】
また、上述した配管部材８０は、合成樹脂材による射出成形を用いて製造することができるため安価に製造することができる。また、開口孔８１４を蓋体８４で締め込む構造であるため、配管部材８０の組み立てが容易である。
【００５７】
なお、実施の形態１〜３では、流路を合成樹脂材で形成した配管部材を用いているが、素材は合成樹脂に限られるものではなく、同一方向を向くジョイント部材と、Ｕ字型のステンレス管からなる連結部とを接続して形成した配管部材とすることも可能である。また、本発明の好適な実施の形態としてカップ式飲料自動販売機について説明したが、本発明はこれに限定されるものではなく、自動給茶機等、他の飲料供給装置に用いることができる。
【符号の説明】
【００５８】
１    カップ式飲料自動販売機
２１    水リザーバ
４０    水供給源
４１    第一水供給配管
４１ａ    下流端
４１ｂ    上流端
４２    第二水供給配管
４２ａ    上流端
４２ｂ    下流端
５０，７０，８０    配管部材
５１，７１，８１    連結部
５２ａ，５２ｂ，７２ａ，７２ｂ，８２ａ，８２ｂ    ジョイント部
５３ａ，５３ｂ，７３ａ，７３ｂ，８３ａ，８３ｂ    フランジ部
７４    蓋部
８４    蓋体（袋ナット）
５２１ａ，５２１ｂ，７２１ａ，７２１ｂ，８２１ａ，８２１ｂ    開口端
５２２ａ，５２２ｂ，７２２ａ，７２２ｂ，８２２ａ，８２２ｂ    基端部
７１１，７１２，８１１，８１２    直線状管
７１３，８１３    連結管
７１４，８１４    開口孔
【図１】
0005870479.tif 000002
【図２】
0005870479.tif 000003
【図３】
0005870479.tif 000004
【図４】
0005870479.tif 000005
【図５】
0005870479.tif 000006
【図６】
0005870479.tif 000007
【図７】
0005870479.tif 000008
【図８】
0005870479.tif 000009